(57)【要約】瓶（１０）は実質的に球形の形状をしており、瓶の３つの側面に凹面のくぼみ（２０、２１）があり、瓶の隣にあるその他の瓶が、直接またはスペーシングピースを介して前述のくぼみにその他の瓶の少なくとも一部（１５）にある瓶に非常に接近して配置される。瓶の首部（１１）は、垂直に上を向くか、あるいは側面および上方に対し斜めを向いている。瓶の底部にあるくぼみ（２１）は側壁または底部のくぼみの中央部にあるくぼみ（２０ａ、２０ｂ）とほぼ同じであり、瓶の首部（１１）および／または蓋用に別のくぼみがある。【選択図】図８
2010520124.tif 000002
【特許請求の範囲】
【請求項１】
少なくとも１つの側面（１５）にくぼみ（２０）または隙間を有し、その瓶の近くに別の瓶が非常に接近して配置されるため、その他の瓶の少なくとも一部が直接またはスペーシングピースを介して前記くぼみに存在し、前記瓶（１０）の３つの側面にくぼみ（２０、２１）があり、前記瓶の両隣およびその上面または下面にあるその他の瓶が前記瓶に非常に接近して配置されるため、前記その他の瓶の少なくとも一部が直接またはスペーシングピースを介して前記くぼみに存在することを特徴とする、球形の瓶（１０）。
【請求項２】
‐前記瓶（１０）が実質的に球形であり、
‐前記瓶（１０）の３つの側面にある前記くぼみ（２０、２１）が凹面であり、前記瓶の近くにある瓶の球形の表面（１５）が前記くぼみに取り付けられることを特徴とする、請求項１に記載の瓶（１０）。
【請求項３】
‐前記瓶（１０）の前記首部（１１）が前記側面および上方に対し斜めを向いており、
‐前記瓶（１０）の前記側壁（１５）にある前記くぼみ（２０ａ、２０ｂ）の前記首部（１１）の近くにあることを特徴とする、請求項１または２のいずれかに記載の瓶（１０）。
【請求項４】
前記瓶（１０）にある前記３つのくぼみ（２０、２１）の前記湾曲した半径が、前記瓶の前記球形の表面の前記湾曲した半径と等しいことを特徴とする、請求項１、２、または３のいずれか１つに記載の瓶（１０）。
【請求項５】
前記くぼみの前記部分の前記断面が、例えばもっとも重要な向きは、三次元の座標系のｘ、ｙ、およびｚ軸に対し垂直となるなど、互いに垂直となるように前記瓶（１０）の３つの側面にある前記凹面のくぼみが配置される、請求項１ないし４のいずれか１つに記載の瓶（１０）。
【請求項６】
‐前記瓶が実質的に球形であり、
‐前記瓶（１０）の２つの側面に、隣接する球形の瓶用の凹面のくぼみ（２０）があり、
‐前記瓶（１０）の底部にあるくぼみが成形されているため、下にある瓶の前記首部（１１）および／または蓋が前記くぼみに取り付けられることを特徴とする、請求項１、２、または３のいずれか１つに記載の瓶（１０）。
【請求項７】
前記瓶（１０）の前記球形の表面の上にバーコードがあることを特徴とする、請求項１ないし６のいずれか１つに記載の瓶（１０）。
【請求項８】
前記瓶用包装（３０）が積み重ね用ラック（３０）または荷箱を含み、瓶包装時にそれが水平面に対し傾斜位置をとることを特徴とする、球形の瓶（１０）が配置される、瓶用包装（３０）。
【請求項９】
積み重ね用ラック（３０）の前記面が、水平面に対し４５°の角度をとることがもっとも好ましく、瓶（１０）が首部（１１）で吊るされることにより設置されることを特徴とする、請求項９に記載の瓶用包装。
【発明の詳細な説明】
【技術分野】
【０００１】
本発明の目的は、球形の瓶が少なくとも１つの側面に１つのくぼみまたは隙間を有し、その瓶の近くに別の瓶が非常に接近して配置されるため、その他の瓶の少なくとも一部が直接またはスペーシングピースを介して前述のくぼみに存在することである。
【背景技術】
【０００２】
箱または他の輸送用包装に入れた瓶を輸送・包装する際に、瓶は概して互いに接触させず、瓶と瓶の間に十分なスペースをとる。これは、瓶の形状およびしばしば瓶と瓶の間の仕切壁または同様の構造体の両方に起因するものである。したがって、包装は瓶の容量に対し無駄に大きくなり、これは不経済なことに、大量の空スペースを輸送することを意味している。
【０００３】
瓶を成形することによりこの問題を解決し、瓶に四角形または三角形の形状を用いて、可能な限り互いに密着させて包装するよう試みた。しかし、そのような形状は強度および耐久性が低く、瓶に厚い壁を作製する必要が生じ、不経済である。特許文献１に提示されている既知の解決法は、隣接する瓶用のくぼみを有する瓶を提示している。したがって、隣接する瓶は、互いにより接近して包装される。特許文献２は、瓶の下に瓶の口および蓋用のくぼみを有する瓶を提示している。しかし、これらの解決法は、それほど有利ではない。
【先行技術文献】
【特許文献】
【０００４】
【特許文献１】独国実用新案第２９９０７２５８（Ｕ１）号明細書
【特許文献２】独国実用新案第２９６０００５１（Ｕ１）号明細書
【発明の概要】
【発明が解決しようとする課題】
【０００５】
本発明の目的は、上記の欠点を克服する瓶を作製することである。本発明のさらなる目的は、複数の瓶を互いに重ねて包装可能にする強力な瓶の形状を作ることである。
【課題を解決するための手段】
【０００６】
本発明による瓶は、瓶の３つの側面にくぼみがあり、前述の瓶の両隣およびその上面または下面にあるその他の瓶が前述の瓶に非常に接近して配置されるため、その他の瓶の少なくとも一部が直接またはスペーシングピースを介して前述のくぼみに存在することを特徴とする。
【０００７】
そのような瓶の包装密度は非常に高くなると考えられる。言い換えると、瓶の内容物の総容積は、複数の瓶用包装に必要なスペースと関連して非常に高くなる。本発明のおかげで、瓶用包装の外寸が非常に小さくなる。これにより、瓶と包装の原料要件が、既知の解決法より実質的に小さくなる。
【発明の効果】
【０００８】
本発明による瓶の好適な実施形態は、
‐瓶が実質的に球形であり、
‐瓶の３つの側面にあるくぼみが凹面であり、前述の瓶の近くにある瓶の球形の表面が前述のくぼみに取り付けられることを特徴とする。
【０００９】
本発明による瓶の球形の形状により、瓶の強度が非常に強くなる。強度を弱めることなく壁の厚さを低減できれば、原材料の必要量も減少する。球形の瓶は、圧力にも高い抵抗性を示す。さらに、凹面のくぼみと球形の表面が、独特の方法で光を反射させ、瓶とその内容物に有利な外見をもたらす。したがって、本発明による瓶は、最終消費者用包装にとって好ましいものである。
【００１０】
本発明による瓶の別の好適な実施形態は、
‐瓶の首部が側面および上方に対し斜めを向いており、
‐瓶の側壁にある前述のくぼみが瓶の首部の近く、首部の両側にあることを特徴とする。
【００１１】
本発明による瓶の第３の好適な実施形態は、
‐瓶が実質的に球形であり、
‐瓶の２つの側面に、隣接する球形の瓶用の凹面のくぼみがあり、
‐瓶の底部にあるくぼみが成形されているため、下にある瓶の首部および／または蓋がくぼみに取り付けられることを特徴とする。
【００１２】
本発明の目的は、球形の瓶が配置される瓶用包装も含む。本発明による瓶用包装は、これが積み重ね用ラックまたは荷箱を含み、瓶包装時にそれが水平面に対し傾斜位置をとることを特徴とする。
【００１３】
１つの好適な実施形態によると、積み重ね用ラックの面は水平面に対し４５°の角度をとることがもっとも好ましく、瓶は首部で吊るされることにより設置される。
【図面の簡単な説明】
【００１４】
添付図面を参照しながら、実施例を用いて、以下で本発明について説明する。
【図１】本発明による瓶の実施形態の平面図である。
【図２】図１の瓶の側面図である。
【図３】別の角度からみた図１の瓶の側面図である。
【図４】第三の角度からみた図１の瓶の側面図である。
【図５】図４の側線Ｖ‐Ｖの断面図である。
【図６】図１による瓶が、隣接し、互いに重ねて配置される図である。
【図７】別の角度からみた図６の瓶の側面図である。
【図８】図７の側線ＶＩＩＩ‐ＶＩＩＩの断面である。
【図９】図６の瓶の平面図である。
【図１０】不等角的に示された図６の瓶の斜側面および平面図である。
【図１１】不等角的に示された図６の瓶の側面および底面図である。
【図１２】本発明による瓶の別の実施形態の平面図である。
【図１３】図１２の瓶の側面図である。
【図１４】別の角度からみた図１２の瓶の側面図である。
【図１５】第三の角度からみた図１２の瓶の側面図である。
【図１６】図１５の側線ＸＶＩ‐ＸＶＩの断面。
【図１７】図１２による瓶が、隣接し、互いに重ねて配置される図である。
【図１８】別の角度からみた図１２の瓶の側面図である。
【図１９】図１８の側線ＸｉＸ‐ＸｉＸの断面である。
【図２０】図１２の瓶の平面図である。
【図２１】不等角的に示された図１７の瓶の斜側面および平面図である。
【図２２】不等角的に示された図１７の瓶の斜側面よび底面図である。
【図２３】本発明による瓶の第三の実施形態の平面図である。
【図２４】図２３の側線ＸＸＩＶ‐ＸＸＩＶの断面である。
【図２５】不等角的に示された図２３による瓶の斜側面および平面図である。
【図２６】不等角的に示された図２３による瓶の斜側面および底面図である。
【図２７】互いにもたれ合って配置される図２４による瓶の側断面図である。
【図２８】荷箱の中で配置される図２３による瓶の模式図である。
【図２９】別の方向からみた図２８の瓶である。
【図３０】図２７と一致していて、瓶が互いにもたれあって配置されており、瓶の層と層の間に包装用仕切シートがある。
【図３１】不等角的に示された瓶および瓶と瓶の間にある包装用仕切シートの斜側面および平面図である。
【図３２】液体が充填された図２４による瓶の側断面図である。
【発明を実施するための形態】
【００１５】
図１は、本発明による瓶１０の平面図である。通常の方法では、瓶１０の上部は首部１１およびねじ蓋（図なし）用ねじ１２を備える、図１の瓶１０は実質的に球形の形状をしているが、瓶１０球形の側面１５に凹面のくぼみ２０ａおよび２０ｂがある。くぼみ２０ａおよび２０ｂの湾曲は、瓶１０の表面１５の湾曲と一致しており、隣接して配置される同様の瓶の球形の側面がくぼみ２０ａおよび２０ｂに取り付けられる。さらに、瓶１０は底部にもくぼみがあり、このくぼみについては図５で詳細に示す。
【００１６】
図２は、図１の瓶１０の側面図である。図２は、瓶１０の球形の側壁１５にある１つのくぼみ２０ａおよび底部にあるくぼみ２１も示す。くぼみ２１も凹面であり、実質的に球形の表面１５の形状と一致する。しかし、本実施形態では、図５に示されるとおり、くぼみ２１は下にある瓶の首部１１用のくぼみも有する。
【００１７】
図３は、別の角度からみた図１の瓶１０である。図で示されるとおり、瓶１０の球形の側壁１５には両側に凹面のくぼみ２０ａおよび２０ｂが、底部にくぼみ２１がある。
【００１８】
図４では瓶１０が示され、瓶１０の球形の側壁１５にあるくぼみ２０ａが読み手側に向けられている。
【００１９】
図５の断面図は、瓶１０の側壁１５にある凹面のくぼみ２０ａの形状が、瓶１０の球形の側面１５の形状と一致していることを示している。瓶１０の底部にあるくぼみ２１の環状端部２１の形状は瓶１０の球形の表面と一致しており、端部２１ａは下に配置される同様の瓶の首部１１の周囲の球形の表面の上に載る。くぼみ２１はより深部に中央部２１ｂを含み、下にある同様の瓶の首部１１およびねじ蓋に十分なスペースを提供している。
【００２０】
図６は、隣接し、互いに重ねて配置される図１〜５に基づく複数の瓶１０ａ〜１０ｂを示す。本実施例では、１つのグループが互いに密着して配置された８本の瓶を含んでいるが、当然のことながら、瓶用包装または箱は何本でも含むことができる。図７は、別の角度からみた図６の瓶のグループの図を示す。
【００２１】
図８は、瓶のグループの断面図である。断面図で示されるとおり、各瓶１０の側壁には凹面のくぼみ２０ａがあり、隣接する瓶１０の球形の側壁表面１５がこれと一致していて、くぼみの上に側壁表面をもたれさせることができる。瓶１０の底部にもくぼみ２１があり、その中にある環状端部２１ａは下に配置される瓶１０の首部１１の周囲の球形の表面の上に載る。下にある瓶１０の首部１１は、くぼみ２１の中央部のより深部２１に取り付けられる。したがって、瓶１０は、側壁を用いて隣接する瓶にもたれ、底部を用いて下にある瓶の上に載る。このようなタイプの瓶の包装法は、互いにうまく取り付けられる支持部が瓶に存在することから非常に安定している。同時に、ある意味では瓶は互いにはめ込まれていて、それが瓶の輸送にとって有利である。
【００２２】
図９は、図６〜８の瓶のグループの平面図である。図で示されるとおり、また、この方向から見えるとおり、瓶１０は互いに密着して配置される。瓶と瓶１０の間にはほとんどスペースが残されていないため、包装全体の容量に対し総容量が非常に大きくなる。したがって、本発明による瓶の包装密度は非常に高く、本発明による瓶により液体の包装および輸送にとって極めて効率のよい、有利な解決法が得られる。
【００２３】
図１０および１１は、さまざまな角度からみた図６〜９の瓶のグループの不等角投影図である。これらの図も、瓶１０がいかにうまく互いに密着して取り付けられているかを示している。
【００２４】
図１２は、本発明の別の実施形態による瓶１０の平面図である。図１〜１１に示される実施形態と同様に、この実施形態は瓶１０の球形の側壁１５に凹面のくぼみ２０ａおよび２９ｂを有する。しかし、図１２の瓶１０は、瓶１０の首部１１およびそこにあるねじ部１２が側面および上方に対し斜めを向いている点で、上記の瓶とは異なっている。したがって、首部１１は、従来の瓶のように垂直に上を向いて瓶１０の中央部にあるわけではない。
【００２５】
図１２で示される解決法により、包装または瓶のグループの中にある瓶と瓶の間の狭い空間に十分なスペースが生まれ、そこに瓶１０の首部１１およびねじ蓋（図なし）が入る。その結果、瓶１０の底部に、首部１用の隙間と下にある瓶１０の蓋用の隙間とを別々に作製する必要がない。この実施形態では、瓶の側壁と同じく、瓶１０の底部が球形の表面１５と一致する同様の凹面のくぼみを備えているため、一番上の瓶１０は真下にある瓶１０の球形の表面１５の上に直接載ることができる。本実施形態による瓶の形状は、以下の図で詳細に示す。
【００２６】
図１３〜１５は、異なる３つの角度からみた図１２の瓶１０の側面図である。図で示されるとおり、瓶１０の球形の側壁１５には２つの凹面のくぼみ２０ａおよび２０ｂがあり、首部１１はくぼみとくぼみの間の頂点に位置していて、側面および上方に対し斜めを向いている。瓶１０の底部は、瓶１０のその他の壁と同じ球形の形状および表面１５の一部をなすが、第２の実施形態では、瓶１０の底部には側壁にあるくぼみ２０ａおよび２０ｂとほぼ同じくぼみ２０ｃがある。したがって、瓶１０は、凹面の球形の表面と一致する３つのくぼみ２０ａ、２０ｂ、および２０ｃを備えており、これらのくぼみは、共通の頂点を有する立方体の３つの側面と同じく、互いにほぼ同じ位置に配置されている。
【００２７】
図１６は瓶１０の断面図であり、瓶１０の球形の表面１５の側壁にほぼ同じ凹面のくぼみ２０ａおよび２０ｂを２つ有し、底部にくぼみ２０ｃを１つ有していることを示している。
【００２８】
図１７は、隣接し、互いに重ねて配置される図１２〜１６による複数の瓶１０ａ〜１０ｄを示す。本実施例でも、１つのグループが互いに密着して配置された８本の瓶を含んでいるが、当然のことながら、瓶用包装または箱は何本でも含むことができる。図１８は、別の角度からみた図１７の瓶のグループの図である。
【００２９】
図１９は、瓶１０のグループの断面図である。本断面図で示されるとおり、各瓶１０の側壁には凹面のくぼみ２０ａがあり、隣接する瓶１０の球形の側壁表面１５が一致していて、くぼみに側壁表面をもたれさせることができる。瓶１０の側面１５には、くぼみ２０ａの他に、別の同様のくぼみ２０ｂがある。瓶１０の底部にも同様のくぼみ２０ｃがあり、本実施形態では、瓶１０の球形の表面１５には３つのくぼみ２０ａ、２０ｂ、および２０ｃがある。図２０は、図１７〜１９の瓶のグループの別の平面図を示す。
【００３０】
図２１および２２はさまざまな角度からみた図１７〜２０の瓶のグループおよび本発明の第２の実施形態による瓶１０の不等角投影図である。
【００３１】
図２３は本発明による瓶１０の第３の実施形態であり、瓶１０の球形の表面１５の上部にアラインメントくぼみ２２が配置される。くぼみ２２は、楕円形の形状をしている。
【００３２】
図２４は、図２３の瓶１０の側断面図である。球形の表面１５の上部にあるアラインメントくぼみ２２の反対側、球体１０の下にアラインメント突出部２３があり、球体１０の下からみるとこれもまた楕円形の形状をしていて、突出部の形状がアラインメントくぼみ２２と一致している。瓶１０が互いに重ねて配置されると、一番上の瓶の底部にあるアラインメント２３が、一番下の瓶の上面にあるアラインメントくぼみ２２に入る。したがって、互いに重ねて配置される瓶は、互いにはめ込まれていて、滑ったり回転したりできなくなる。具体的には、アラインメント突出部２３およびアラインメントくぼみ２２の細長い楕円形の形状が、瓶が互いに回転するのを防止する。しかし、同様のはめ込み効果が生じる限り、さまざまな形状が考えられる。
【００３３】
図２５および２６は、図２３および２４に示されるとおり、瓶１０、アラインメント突出部２３、およびアラインメントくぼみ２２の不等角的に示された斜側面図である。
【００３４】
図２７は、互いにもたれ合って配置される図２４による瓶１０の側断面図である。これにより瓶と瓶１０の間のスペースが非常に小さくなり、アラインメント突出部２３およびアラインメントくぼみ２２により瓶１０が所定の位置にはめ込まれる。
【００３５】
図２８は、互いに密着して積み重ね用ラックまたは荷箱に配置される瓶１０を示す。本図では、積み重ね用ラック３０の２つの壁が示されていて、それにより箱内に配置される瓶１０の状態および位置が明確に強調されている。瓶１０の形状により、積み重ね用ラック３０または荷箱の中に瓶を積み重ねることがもっとも好ましく、トレイまた荷箱３０は、角の１つが下方を向くように斜めの状態にされる。このように、瓶１０を所定の位置に配置し、互いに密着して安定させることは容易である。図２９は、別の方向からみた図２８の包装配列を示す。
【００３６】
図３０は図２７と一致しており、互いにもたれ合って配置された瓶１０を示す。瓶の層と層の間に包装用トレイ３１がある。包装用トレイ３１は成形されており、瓶１０もこの配列で密着した状態で安定する。包装用トレイ３１も、瓶１０のアラインメント突出部２３および首部１１と一致する形状を有している。図３１は、瓶１０および瓶と瓶の間にある包装用トレイ３１の斜側面図である。
【００３７】
図３２は、蓋２４付きの図２４による瓶１０の側断面図であり、瓶には液体４０が充填されている。球形の瓶１０内部では、液体４０の表面４１は円形をしている。このように、液体４０が充填されている瓶１０の外観は、その形状により瓶の複数の側面の細部が円形であることから、特に魅力的である。瓶１０の球体の表面はレンズとして機能し、瓶の背後にある目的物が拡大されるような印象をもたらす。同様に、凹面のくぼみや球形および円形の形状がレンズの機能を果たし、瓶の背後にある目的物が小さくなる印象をもたらす。液体の表面によって生じる球形の形状により、外観は完全になる。
【００３８】
本発明によるさまざまな実施形態が、下記の請求項の目的の範囲内でさまざまである可能性があることは、当業者にとっては明らかである。したがって、本発明による瓶は、球形の形状から逸脱する場合もある。しかし、上記のくぼみを用いて瓶が互いに重なることは必要不可欠である。有利には、上記の瓶は互いに密着している。必要であれば、瓶と瓶の間に発泡プラスチック等のスペーシングピースまたは詰め物を加える場合もある。例えば、瓶またはその包装が著しく激しい衝撃または振動を受けることが前もってわかっている場合である。
【００３９】
球形の形状は、強い圧力に抵抗性を示すため、特に有利である。瓶の外面は実質的に球形であり、表面にあるくぼみも内部に向かう球形の表面であり、その湾曲した半径は、好ましくは瓶の球形の表面の湾曲した半径と等しい柱になる。このように成形された瓶は、他の形状の瓶より密着させて包装できる。言い換えれば、包装密度、例えば瓶の総容量と包装全体の容量の関係が最大となる。
【００４０】
申請者によると、従来の１２００  ｍｍ  ×  １０００  ｍｍの大きさのＥｕｒｏｐａｌｌｅｔは、レギュラーサイズのソフトドリンク容器を２層で収容可能であり、総容量は２００ないし２３０リットルである。同じ高さのユニットは、本発明による球形の瓶を５層収容可能であり、総容量は３００リットルになる。
【００４１】
もっとも好ましくは、球形の瓶にある凹面のくぼみが３つの側面に配置される。例えば、１つのくぼみは底部に、２つは側壁に配置される。したがって、くぼみの部分の断面は、好ましくは互いに垂直となる。例えば、もっとも重要な向きは、三次元の座標系のｘ、ｙ、およびｚ軸に対し垂直となる。このように、包装の中の瓶も、互いにうまくはめ込まれている。包装時に、瓶に上記のアラインメントくぼみおよびアラインメント突出部がある場合、瓶を互いに重ねて配置することがさらに容易になる。瓶が互いに密着して安定するため、瓶と瓶の間にトレイを挟む必要がなくなる。しかし、成形した包装用トレイによって瓶が互いにうまく配列されるため、これを使用してもよい。
【００４２】
本発明による瓶に、自動瓶収集機用バーコードを付けてもよい。この場合、収集機が瓶を回転させ、バーコードにより瓶を認識するため、バーコードを瓶の球形の側面に配置することがもっとも好ましい。
【００４３】
包装および積み重ねのため、好ましくは、表面が水平面に対し４５°の角度になった積み重ね用ラックを使用する。このように、瓶を首部で吊るすことにより、これを所定の位置まで下げることができる。
【符号の説明】
【００４４】
１０瓶  
１１首部  
１２ねじ  
１５球形の表面  
２０側壁にあるくぼみ  
２１底部にあるくぼみ  
２２アラインメントくぼみ  
２３アラインメント突出部  
２４蓋  
３０積み重ね用ラックまたは荷箱  
３１包装用トレイ  
４０液体  
４１液体の表面
【図１】
2010520124.tif 000003
【図２】
2010520124.tif 000004
【図３】
2010520124.tif 000005
【図４】
2010520124.tif 000006
【図５】
2010520124.tif 000007
【図６】
2010520124.tif 000008
【図７】
2010520124.tif 000009
【図８】
2010520124.tif 000010
【図９】
2010520124.tif 000011
【図１０】
2010520124.tif 000012
【図１１】
2010520124.tif 000013
【図１２】
2010520124.tif 000014
【図１３】
2010520124.tif 000015
【図１４】
2010520124.tif 000016
【図１５】
2010520124.tif 000017
【図１６】
2010520124.tif 000018
【図１７】
2010520124.tif 000019
【図１８】
2010520124.tif 000020
【図１９】
2010520124.tif 000021
【図２０】
2010520124.tif 000022
【図２１】
2010520124.tif 000023
【図２２】
2010520124.tif 000024
【図２３】
2010520124.tif 000025
【図２４】
2010520124.tif 000026
【図２５】
2010520124.tif 000027
【図２６】
2010520124.tif 000028
【図２７】
2010520124.tif 000029
【図２８】
2010520124.tif 000030
【図２９】
2010520124.tif 000031
【図３０】
2010520124.tif 000032
【図３１】
2010520124.tif 000033
【図３２】
2010520124.tif 000034
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
少なくとも１つの側面（１５）にくぼみ（２０）または隙間を有し、その瓶の近くに別の瓶が非常に接近して配置されるため、その他の瓶の少なくとも一部が直接またはスペーシングピースを介して前記くぼみに存在し、前記瓶（１０）の３つの側面にくぼみ（２０、２１）があり、前記瓶の両隣およびその上面または下面にあるその他の瓶が前記瓶に非常に接近して配置されるため、前記その他の瓶の少なくとも一部が直接またはスペーシングピースを介して前記くぼみに存在することを特徴とする、球形の瓶（１０）。
【請求項２】
‐前記瓶（１０）が実質的に球形であり、
‐前記瓶（１０）の３つの側面にある前記くぼみ（２０、２１）が凹面であり、前記瓶の近くにある瓶の球形の表面（１５）が前記くぼみに取り付けられることを特徴とする、請求項１に記載の瓶（１０）。
【請求項３】
‐前記瓶（１０）の前記首部（１１）が前記側面および上方に対し斜めを向いており、
‐前記瓶（１０）の前記側壁（１５）にある前記くぼみ（２０ａ、２０ｂ）の前記首部（１１）の近くにあることを特徴とする、請求項１または２のいずれかに記載の瓶（１０）。
【請求項４】
前記瓶（１０）にある前記３つのくぼみ（２０、２１）の前記湾曲した半径が、前記瓶の前記球形の表面の前記湾曲した半径と等しいことを特徴とする、請求項１、２、または３のいずれか１つに記載の瓶（１０）。
【請求項５】
前記くぼみの前記部分の前記断面が、例えばもっとも重要な向きは、三次元の座標系のｘ、ｙ、およびｚ軸に対し垂直となるなど、互いに垂直となるように前記瓶（１０）の３つの側面にある前記凹面のくぼみが配置される、請求項１ないし４のいずれか１つに記載の瓶（１０）。
【請求項６】
‐前記瓶が実質的に球形であり、
‐前記瓶（１０）の２つの側面に、隣接する球形の瓶用の凹面のくぼみ（２０）があり、
‐前記瓶（１０）の底部にあるくぼみが成形されているため、下にある瓶の前記首部（１１）および／または蓋が前記くぼみに取り付けられることを特徴とする、請求項１、２、または３のいずれか１つに記載の瓶（１０）。
【請求項７】
前記瓶（１０）の前記球形の表面の上にバーコードがあることを特徴とする、請求項１ないし６のいずれか１つに記載の瓶（１０）。
【請求項８】
‐アラインメントくぼみ（２２）が瓶（１０）の球形の表面（１５）に配置され、瓶の反対の側面にアラインメント突出部（２３）が配置され、
‐瓶（１０）が互いに重ねて配置されるとき、一番上の瓶の底部にあるアラインメント突出部（２３）が一番下の瓶の上面にあるアラインメントくぼみ（２２）に入り、前述の瓶を所定の位置に固定することを特徴とする、
請求項１ないし７のいずれか１つに記載の瓶（１０）。
【請求項９】
‐前記瓶用包装（３０）が積み重ね用ラック（３０）または荷箱を含み、瓶包装時にそれが水平面に対し傾斜位置をとり、
‐積み重ね用ラック（３０）の前記面が、水平面に対し４５°の角度をとることがもっとも好ましく、瓶（１０）が首部（１１）で吊るされることにより設置されることを特徴とする、
球形の瓶（１０）が配置される、瓶用包装（３０）。
【請求項１０】
前記瓶（１０）が前記積み重ね用ラック（３０）に配置されるため、前記瓶の下および／または瓶の層と層の間に包装用トレイ（３１）が存在し、それが前記アラインメントくぼみ（２２）および前記アラインメント突出部（２３）と形状が一致していることを特徴とする、請求項９に記載の瓶用包装（３０）。
【国際調査報告】
2010520124.tif 000035
2010520124.tif 000036
2010520124.tif 000037